(57)【要約】【課題】  Ｘ線撮影に際して、視覚や聴覚に障害をもつ被検者に、音声によらず確実に指示を伝達すること。【解決手段】  Ｘ線診断装置の寝台装置３の両側に設けられている把手３２Ｌ、３２Ｒにそれぞれ振動モータ６を備えておき、押ボタンスイッチ７１Ｌ、７１Ｒによって  この振動モータを選択的にオン／オフを制御するようにしたもの。  これにより、寝台装置の両側の把手の一方または両方に振動を伝えることにより、把手を握っている被検者に対して、文字や音声によらずに各種のメッセージを伝えることができる。よって、健常者のみならず、視角や聴覚に障害をもった被検者に対しても、Ｘ線撮影に際しての適切な指示を与えることができるので、被検者の負担を軽減し、診断スループットも向上することができる。【選択図】      図３
2008272131.tif 000002
【特許請求の範囲】
【請求項１】
被検者を載置する寝台装置と、この寝台装置に載置されている被検者へＸ線を照射しその
透過像を検出するＸ線撮影装置と、このＸ線撮影装置および前記寝台装置を制御する制御
装置とを有するＸ線診断装置において、
前記寝台装置の両側に設けられ、当該寝台装置に載置された被検者が手で握るための一対
の把手と、
この一対の把手を振動させるための加振手段と、
この加振手段のオン／オフを制御する加振制御手段と、
を具備することを特徴とするＸ線診断装置。
【請求項２】
前記加振手段は、前記把手に収納された振動モータであることを特徴とする請求項１に記
載のＸ線診断装置。
【請求項３】
前記加振制御手段は、前記一対の把手を各別にまたは同時に加振するように前記加振手段
を制御するものであることを特徴とする請求項１または請求項２のいずれか１項に記載の
Ｘ線診断装置。
【請求項４】
前記加振制御手段は、前記加振手段の振動振幅または振動周波数を制御するものであるこ
とを特徴とする請求項１ないし請求項３のいずれか１項に記載のＸ線診断装置。
【発明の詳細な説明】
【技術分野】
【０００１】
本発明は、Ｘ線診断装置に係り、特に消化器系のＸ線診断用として好適なＸ線診断装置
に関する。
【背景技術】
【０００２】
一般に、胃などの消化器系のＸ線撮影を行うためのＸ線診断装置では、被検者に飲ませ
た造影剤（バリウム）を所定の部位に流動させるために、被検者を載置した寝台装置を、
被検者の頭を上向きにしたり下向きにしたりするように、長手方向に傾斜可能に構成され
ている。そして、このような傾動する寝台装置から被検者が落下することがないように、
寝台装置の両側に握り棒が設けられており、Ｘ線撮影中は被検者にその握り棒をしっかり
握ってもらうようにしている（例えば、特許文献１参照。）。
【０００３】
また、寝台装置の長手方向へ傾動させるだけでは、造影剤が所望の位置へ流動しないこ
ともあり、さらに、病変部など撮影対象に対して最適な方向からＸ線撮影を行うために、
被検者自身に身体を左右に回転してもらうこともある。
【特許文献１】特開平７−２９９０６３号公報
【発明の開示】
【発明が解決しようとする課題】
【０００４】
ところで、被検者への身体の回転指示は、Ｘ線撮影を実施する医師や技師などの操作者
によってなされるが、その指示を受けた被検者にとって、左右の回転方向をとっさに判断
できなくなってまごまごすることが良くある。そのために、Ｘ線撮影室の天井や壁に、「
左」と「右」を文字や矢印などで表示して、被検者がまごつかないようにする工夫を施し
ている施設もある。
【０００５】
しかしながら、このような表示があったとしても、視覚に障害をもつ被検者や聴覚に障
害をもつ被検者にとっては、まだ十分なものではなかった。すなわち、視覚に障害をもつ
被検者の場合は、操作者の指示が聞こえても、天井や壁の表示を視認しにくいので、身体
の回転方向を感覚的に認識する上で、表示による効果は期待できるものではなかった。ま
た、聴覚に障害をもつ被検者の場合は、音声による指示そのものが聞き取れないことがあ
るので、天井や壁の表示はあまり有効とは言えなかった。従ってＸ線撮影に時間がかかり
、被検者の負担を増すとともに、診断スループットも低下させるという問題があった。
【０００６】
本発明は、このような問題を解決するためになされたものである。
【課題を解決するための手段】
【０００７】
上述の課題を解決するため、請求項１に記載の発明は、被検者を載置する寝台装置と、
この寝台装置に載置されている被検者へＸ線を照射しその透過像を検出するＸ線撮影装置
と、このＸ線撮影装置および前記寝台装置を制御する制御装置とを有するＸ線診断装置に
おいて、前記寝台装置の両側に設けられ、当該寝台装置に載置された被検者が手で握るた
めの一対の把手と、この一対の把手を振動させるための加振手段と、この加振手段のオン
／オフを制御する加振制御手段とを具備することを特徴とする。
【０００８】
また、請求項２に記載の発明は、請求項１に記載のＸ線診断装置において、前記加振手
段は、前記把手に収納された振動モータであることを特徴とする。
【０００９】
また、請求項３に記載の発明は、請求項１ないし請求項２のいずれか１項に記載のＸ線
診断装置において、前記加振制御手段は、前記一対の把手を各別にまたは同時に加振する
ように前記加振手段を制御するものであることを特徴とする。
【００１０】
また、請求項４に記載の発明は、請求項１または請求項３のいずれか１項に記載のＸ
線診断装置において、前記加振制御手段は、前記加振手段の振動振幅または振動周波数を
制御するものであることを特徴とする。
【発明の効果】
【００１１】
上記課題を解決するための手段の項にも示したとおり、本発明の特許請求の範囲に記載
する各請求項の発明によれば、次のような効果を奏する。
【００１２】
請求項１に記載の発明によれば、寝台装置の両側の把手の一方または両方を、必要に応
じて振動させることにより、把手を握っている被検者に対して、文字や音声によらずに各
種のメッセージを伝えることができる。よって、健常者のみならず、視角や聴覚に障害を
もった被検者に対しても、Ｘ線撮影に際しての適切な指示を与えることができるので、被
検者の負担を軽減し、診断スループットも向上させることができる。
【００１３】
請求項２に記載の発明によれば、振動モータとして市販されているものが適宜採用する
ことができるので、容易に製品化することができる。
【００１４】
請求項３に記載の発明によれば、単純な操作で限定された指示を確実に伝達することが
できる。
【００１５】
請求項４に記載の発明によれば、伝達すべき指示の種類を適宜増加することができる。
【発明を実施するための最良の形態】
【００１６】
以下、本発明に係るＸ線診断装置の一実施例について、図１ないし図４を参照して詳細
に説明する。
【００１７】
図１は、本発明の一実施例を説明するために示した、主に消化器系の診断に適用される
Ｘ線診断装置の概略的な外観斜視図である。
【００１８】
このＸ線診断装置は、床面に固定された基台１に立設された支持体２と、この支持体２
に起倒可能に支持された寝台装置３と、同じく支持体２に傾動可能に支持された撮影装置
４とを備えている。また、これら支持体２、寝台装置３および撮影装置４の駆動を制御し
たり、Ｘ線の照射条件を制御したりするための制御装置５が別に設けられている。なお図
１には、支持体２によって寝台装置３が水平状態に保持されているとともに、撮影装置４
が寝台３に対して垂直方向に保持されている様子が示されている。
【００１９】
寝台装置３の上面には、被検者を載置する天板３１が設けられている。この天板３１は
寝台装置３本体に対して左右方向（幅方向）に所定範囲にわたってスライド可能に駆動さ
れるようになっている。また天板３１の両側部には、載置された被検者が左右の手でそれ
ぞれ握るための一対の把手３２が設けられており、天板３１の長手方向の下部には、寝台
装置３が立位状態になった際に被検者の足を支えるフットレスト３３が、さらに天板３１
の長手方向の上部には、寝台装置３が逆傾斜状態になった際に被検者の肩を支えるショル
ダーレスト３４が夫々備えられている。そして、天板３１の右端部（すなわち、支持体２
側）には、上方に突出するように保護板３５が天板３１の長さ方向にわたって設けられて
いる。
【００２０】
一方、撮影装置４は、支柱４１の一端側にＸ線を照射するＸ線管４２と、支柱４１の他
端側にＸ線を受けて可視像に変換するイメージインテンシファイア（Ｉ．Ｉ．）４３とを
、寝台装置３を挟んで対向するように備えており、イメージインテンシファイア４３で変
換された可視像を、光学系を介して撮影してテレビ映像にするテレビカメラ４４も備えて
いる。なお、撮影装置４に備えられているイメージインテンシファイア４３やテレビカメ
ラ４４は、周知のＸ線フィルムを始めとして、例えばガラス基板上に形成されるスイッチ
ング素子や容量を、Ｘ線を電荷などに変換する光導電膜などで覆うようにした半導体アレ
イで形成されるＸ線平面検出器に置換えられることもある。
【００２１】
次に、本発明のＸ線診断装置で使用される把手３２の一例について説明する。
【００２２】
把手３２は寝台装置３の両側、具体的には天板３１の両側部に設けられているもので、
一般的には、Ｘ線撮影を受ける天板３１に載置された被検者が、寝台装置３から落下しな
いように両手でしっかり握るために備えられているものである。本発明においてこの把手
３２は、図２に示すように例えば中空の棒状体で形成され、その中空部３２ａに振動モー
タ６を挿入したものとして構成されている。この振動モータ６は、先端に振動子６１を備
えており、通電によって振動子６１が回転することによって、振動を把手３２に伝達する
ものである。
【００２３】
図３は、この把手３２に組み込まれた振動モータ６の操作系統を説明した系統図である
。すなわち、制御装置５に対して操作者からの各種指示を入力するための操作卓７に、振
動モータ６をオン／オフするための押ボタンスイッチ７１が設けられている。この押ボタ
ンスイッチ７１は、天板３１上に仰向けに寝ている被検者Ｐの左側の把手３２Ｌに挿入さ
れている振動モータ６を駆動するための左用ボタン７１Ｌと、被検者Ｐの右側の把手３２
Ｒに挿入されている振動モータ６を駆動するための右用ボタン７１Ｒとを備えている。こ
れらボタン７１Ｌ、７１Ｒは、操作者の指などにより押されている間は、スイッチオンの
状態を維持し、指を離して押すのを止めるとスイッチオフとなるものである。
【００２４】
従って、例えば左用ボタン７１Ｌを押している間は、左側の把手３２Ｌに挿入されてい
る振動モータ６が駆動され、押すのを止めると振動は停止する。同様に、右用ボタン７１
Ｒを押している間は、右側の把手３２Ｒに挿入されている振動モータ６が駆動され、押す
のを止めると振動は停止する。さらに、両方のボタン７１Ｌ、７１Ｒを押すと、両方の把
手３２Ｌ、３２Ｒに挿入されている振動モータ６が共に駆動されることになる。
【００２５】
このように、把手３２Ｌ、３２Ｒに挿入されている振動モータ６を選択的に駆動するこ
とによって、把手３２Ｌ、３２Ｒの一方または両方に振動を伝えることができるので、把
手３２を握っている被検者Ｐに対して、文字や音声によらずに各種のメッセージを伝える
ことができる。
【００２６】
すなわち、Ｘ線検査を始める前に操作者は、被検者に対して次のような約束事を説明し
ておく。
【００２７】
１） 寝台装置に載っている間、両手で把手をしっかり握る。
【００２８】
２） 把手の一方に振動を感じたら、振動している把手側へ身体を回転させる。
【００２９】
３） その振動が続いている間、同じ方向へ身体を回転させ続ける。
【００３０】
４） 振動が止まったら、身体の回転をその位置で止める。
【００３１】
５） 両方の把手が振動したら、大きく息を吸って止める。
【００３２】
６） 両方の把手の振動が止まったら、息止めをやめて楽にする。
【００３３】
このような約束のもとで、操作者は、寝台装置を起倒したり、逆傾斜にしたりし、さら
に必要に応じて被検者に身体を横に向けさせたり、息止めさせたりしながら、Ｘ線撮影を
実施することになるが、その流れを示すと図４のようになる。
【００３４】
最初に上述の１）〜６）の約束事を被検者に説明し理解してもらう（ＳＴ１）。次に、
被検者を寝台装置３に載せて、撮影装置４との位置合わせを行ない（ＳＴ２）、被検者に
造影剤を飲んでもらう（ＳＴ３）。その後操作者は、Ｘ線を照射して透視像を観察しなが
ら、被検者に右回転してもらう必要があると感じたとすれば、操作卓７の右用ボタン７１
Ｒを押す（ＳＴ４）。これにより、右側の把手３２Ｒに挿入されている振動モータ６が駆
動され、右側の把手３２Ｒが振動する（ＳＴ５）ので、これを感じた被検者は少しずつ身
体を右側に回転する（ＳＴ６）。回転量が十分になれば操作者はボタン７１Ｒを押すのを
止める（ＳＴ７）。従って、右側の把手３２Ｒの振動も止まり、これを感じて被検者は回
転を止める（ＳＴ８）。
【００３５】
この状態で操作者は、撮影装置４を操作しながら透視像を観察して撮影部位や撮影方向
などを定め、定まった時点で被検者に息を止めてもらうために、操作卓７のボタン７１Ｌ
、７１Ｒを短時間だけ同時に押す（ＳＴ９）。これによって、左右の把手３２Ｌ、３２Ｒ
に挿入されている振動モータ６が駆動され、左右の把手３２Ｌ、３２Ｒが同時に振動する
ので、これを感じた被検者は息を止める（ＳＴ１０）ことになり、ここで操作者はＸ線撮
影を実行する（ＳＴ１１）。そして、Ｘ線撮影が終われば、被検者に楽にしてもらうため
、操作者は再度ボタン７１Ｌ、７１Ｒを同時に押す（ＳＴ１２）。よって左右の把手３２
Ｌ、３２Ｒが再度振動するので、被検者は呼吸の停止を止め（呼吸を始める）、楽な姿勢
をとることができる（ＳＴ１３）。
【００３６】
次に、撮影方向を変えようとして、被検者に左側に回転してほしくなったような場合に
は、操作者は操作卓７の左用ボタン７１Ｌを押す（ＳＴ１４）。これにより、左側の把手
３２Ｌに挿入されている振動モータ６が駆動され、左側の把手３２Ｌが振動する（ＳＴ１
５）ので、これを感じた被検者は少しずつ身体を左側に回転する（ＳＴ１６）。回転量が
十分になれば操作者はボタン７１Ｌを押すのを止めるので（ＳＴ１７）、左側の把手３２
Ｌの振動も止まり、被検者は回転を止める（ＳＴ１８）。
【００３７】
このようにして撮影部位や撮影方向などが定まれば、操作者は被検者に息を止めてもら
うために、操作卓７のボタン７１Ｌ、７１Ｒを短時間だけ同時に押し（ＳＴ１９）、左右
の把手３２Ｌ、３２Ｒに挿入されている振動モータ６を駆動して、左右の把手３２Ｌ、３
２Ｒを同時に振動する。これを感じた被検者は息を止める（ＳＴ２０）ことになり、ここ
でＸ線撮影を実行する（ＳＴ２１）。そして、Ｘ線撮影が終われば、被検者に楽にしても
らうため、操作者は再度ボタン７１Ｌ、７１Ｒを同時に押す（ＳＴ２２）。よって左右の
把手３２Ｌ、３２Ｒが再度振動するので、被検者は呼吸の停止を止め（呼吸を始める）（
ＳＴ２３）、楽な姿勢をとることができ、これでＸ線撮影を終了する（ＳＴ２４）。
【００３８】
なお、被検体に天板３１上で何回転かしてもらう場合には、回転してもらう方向の把手
３２Ｌまたは３２Ｒの振動を続けるようにボタン７１Ｌまたは７１Ｒを押し続ければよい
。また、例えば右方向に回転し過ぎたような場合は、左側の把手３２Ｌを振動させて回転
量を戻してもらうようにすることもできる。
【００３９】
本発明は上述の一実施例に限ることなく、要旨の範囲内で種々の形態で実施することが
可能である。例えば、振動モータ６は必ずしも把手３２の中空部３２ａに組込む必要はな
く、要は把手３２を振動させるように振動モータ６を組合わされればよい。また、振動モ
ータ６を一定の強さや周波数で振動させるだけでなく、振動に強弱をつけたり周波数を変
えたりすることによって、さらに多くのメッセージを伝えることが可能となる。さらに、
把手に振動モータを組合わせることに代えて、把手自体を振動する部材で構成してもよい
し、気体や液体を把手に流して、把手を握っている被検者にメッセージを伝えるようにし
てもよい。
【図面の簡単な説明】
【００４０】
【図１】本発明の一実施例を説明するために示した、Ｘ線診断装置の概略的な外観斜視図である。
【図２】本発明で使用される把手の一例を説明した斜視図である。
【図３】把手に組み込まれた振動モータの操作系統を説明した系統図である。
【図４】本発明に係るＸ線診断装置におけるＸ線撮影を実施する際の操作の流れを説明したフローチャートである。
【符号の説明】
【００４１】
３  寝台装置
４  撮影装置
５  制御装置
６  振動モータ
７  操作卓
３１  天板
３２  把手
３２Ｌ  左側の把手
３２Ｒ  右側の把手
７１  押ボタンスイッチ
７１Ｌ  左用ボタン
７１Ｒ  右用ボタン
【図１】
2008272131.tif 000003
【図２】
2008272131.tif 000004
【図３】
2008272131.tif 000005
【図４】
2008272131.tif 000006